(57)【要約】【課題】  予め歯列に沿って拡大率が変化する部位にスチールボールを埋め込んだ咬合用バイトピースを被験者と共に撮影し、その画像データ上のスチールボールの間隔を測定し表示する手段を備え、あらゆる部位の距離を測定してモニター上に表示する歯科用パノラマＸ線撮影装置を提供する。【解決手段】  予め歯列に沿って拡大率が変化する部位にスチールボールを埋め込んだ咬合用バイトピースを被験者と共に撮影して、咬合用バイトピースのスチールボールが撮影された画像データを保存する記憶保存手段と、保存された画像データを表示する表示手段と、表示された画像データ上で咬合用バイトピースのスチールボールの間隔を測定する測定手段と、測定値を補正するために予め設定されたスチールボールの基準値データと比較して測定値を補正する測定値補正手段から構成され、あらゆる部位の距離を測定しモニター上に表示できる。【選択図】  図３
2005253727.tif 000002
【特許請求の範囲】
【請求項１】
Ｘ線発生部とＸ線受像部を、被験者の頭部を挟むように対向して配置した回転アームを有し、この回転アームが歯列に沿った軌道を回動することにより被験者の歯顎領域の撮影を行う装置であって、且つ回転アームの回転中心が前記軌道上を外れて回動するために拡大率が前歯部、臼歯部、顎関節領域で変化する歯科用パノラマＸ線装置において、予め歯列に沿って拡大率が変化する部位にスチールボールを埋め込んだ咬合用バイトピースを被験者と共に撮影し、前記咬合用バイトピースのスチールボールが撮影された画像データを保存する記憶保存手段と、保存された前記画像データを表示する表示手段と、表示された前記画像データ上で前記咬合用バイトピースのスチールボールの間隔をモニター上で測定する測定手段と、前記測定された測定値を補正するために予め設定されたスチールボールの基準値データと比較する測定値補正手段と、前記測定値補正手段により得られた測定値をモニター上に表示する測定値表示手段から構成され、あらゆる部位の距離をモニター上で測定し表示できることを特徴とした歯科用パノラマＸ線装置。
【発明の詳細な説明】
【技術分野】
【０００１】
本発明は、歯科用パノラマＸ線撮影装置に関する。
【０００２】
さらに詳しくは、予め歯列に沿って拡大率が変化する部位にスチールボールを埋め込んだ咬合用バイトピースを被験者と共に撮影し、その画像データ上のスチールボールの間隔を測定し表示する手段を備え、あらゆる部位の距離をモニター上で測定して表示する歯科用パノラマＸ線撮影装置に関する。
【背景技術】
【０００３】
従来、歯科用パノラマＸ線撮影装置は、X線発生部とＸ線受像部を、被検者の頭部を挟
むように対向して配置した回転アームを有し、この回転アームが、それぞれの装置固有に設定された顎関節を含む仮想歯列弓軌道に沿って回転移動することにより被検者の歯顎領域の撮影を行うが、機構上、大別すると以下の２種類に分けられる。前者は、撮影方式として回転アームの回転中心が前記仮想歯列弓軌道上を回転移動しながら被検者の歯顎領域の撮影を行う方式と、後者は、前記回転アームの回転中心が前記仮想歯列弓軌道上からはずれた位置を時々刻々と回転移動しながら被検者の歯顎領域の撮影を行う方式であり、一般的に前者は、機構的に複雑となり製造コストが高い反面、複雑な制御が可能という利点を有しており、加えて、撮影時に幾何学的に前記仮想歯列弓上を回転アームの回転中心が回転移動するため拡大率が一定となることが知られているのに対して、後者は、機構的に比較的簡便で且つ、従って製造コストが安くできる反面、拡大率が撮影開始位置の顎関節領域より、臼歯部、前歯部への移行に従って徐々に拡大率が変化することが知られているが、依然普及機としての地位は揺るぎのない状況で、近年はマイコン制御の進化によってより複雑な制御も可能となってきている現状にある。
一方撮影現場にあっては、装置のデジタル化が進みフィルムレスの時代に突入し、パーソナルコンピューターを利用した各種の管理操作及び、モニター画面上での被検者に対するインフォームドコンセント等を踏まえた中で、モニター画面上での簡易的な位置の計測の必要性が求められるようになった。
従来この様な要望に対して、前記した後者の拡大率が変化する装置の場合は、計測が必要な部位毎にスチールボールを埋め込んだ咬合用バイトピースを被験者と共に撮影して、その画像データ上でスチールボール間の寸法を測定し基準値と比較して補正を行っていた。必要な部位の距離を測定するためには、その都度、実測値を基準値と比較して計算することにより真の距離を得ていた。
【発明の開示】
【発明が解決しようとする課題】
【０００４】
本発明は、以上の状況を鑑みなされたもので、その解決しようとする課題は、以下の通りである。拡大率が前歯部、臼歯部、顎関節領域で変化するこの種の歯科用パノラマＸ線装置において、例えば、顎関節領域の拡大率がおよそ１．１９倍、また前歯部領域の拡大率がおよそ１．３２倍と、およそ０．１３倍変化することが知られている。必要な部位の距離を測定するためには、計測が必要な部位に、スチールボールを埋め込んだ咬合用バイトピースを被験者と共に撮影しなければならない。また、その部位の距離は、その画像データ上でスチールボール間の寸法を測定して基準値と比較して補正を行い、その補正値から計算して実際の距離を得なければならない。計測部位が変われば、再びその部位にスチールボールを埋め込んだ咬合用バイトピースを被験者と共に撮影して、スチールボール間の寸法を測定し基準値と比較して補正を行い計算して実際の距離を得ることになる。
【課題を解決するための手段】
【０００５】
拡大率が前歯部、臼歯部、顎関節領域で変化する歯科用パノラマＸ線装置において、予め歯列に沿って拡大率が変化する部位にスチールボールを埋め込んだ咬合用バイトピースを被験者と共に撮影して、咬合用バイトピースのスチールボールが撮影された画像データを保存する記憶保存手段と、保存された画像データを表示する表示手段と、表示された画像データ上で咬合用バイトピースのスチールボールの間隔をモニター上で測定する測定手段と、測定値とスチールボールの基準値データと比較して補正する測定値補正手段と、測定値補正手段により得られた測定値を表示する測定値表示手段から構成され、あらゆる部位の距離をモニター上で測定し表示できることを特徴とする。
【発明の効果】
【０００６】
拡大率が前歯部、臼歯部、顎関節領域で変化する歯科用パノラマＸ線装置において、予め歯列に沿って拡大率が変化する部位にスチールボールを埋め込んだ咬合用バイトピースを用いて、被験者と共に撮影することにより１回の撮影で前歯部、臼歯部、顎関節領域の全域に渡るあらゆる部位の距離をモニター上で測定し表示できる。
【発明を実施するための最良の形態】
【０００７】
拡大率が前歯部、臼歯部、顎関節領域で変化する歯科用パノラマＸ線装置において、予め歯列に沿って拡大率が変化する部位にスチールボールを埋め込んだ咬合用バイトピースを被験者と共に撮影し咬合用バイトピースのスチールボールが撮影された画像データを保存する記憶保存手段と、保存された画像データを表示する表示手段と、表示された画像データ上で咬合用バイトピースのスチールボールの間隔をモニター上で測定する測定手段と、測定された測定値とスチールボールの基準値データと比較する測定値補正手段と、測定値補正手段により得られた測定値を表示する測定値表示手段から構成され、あらゆる部位の距離をモニター上で測定し表示できる。
【実施例】
【０００８】
以下実施例に基づいて説明する。図１は、本発明に係る咬合用バイトピースの１例であり、図２は、咬合用バイトピースをパノラマＸ線撮影装置に装着した１例である。また図３は、被験者と共に咬合用バイトピースを撮影したパノラマＸ線画像の１例である。図１に示す咬合用バイトピース１は、スチールボール２を仮想歯列上の拡大率変換点に埋め込み配列して構成されており、この咬合用バイトピース１を図２のようにパノラマＸ線撮影装置３に装着して、これを被験者が咬合した状態で、被験者と共に撮影して得られたパノラマＸ線画像上のスチールボール５をマウスにてクリックすることにより、そのパノラマＸ線画像上のスチールボール５を通る垂線が表示される。パノラマＸ線画像上のスチールボール５間の距離を測定するには、その垂線をマウスにてクリックすることにより基準値と比較され補正された距離がモニター上に表示される。また、パノラマＸ線画像上の各スチールボール間の距離の測定でもそのスチールボールを通る垂線をマウスにてクリックすることにより基準値と比較され補正された距離がモニター上に表示される。パノラマＸ線画像上の目的とする部位の距離の測定は、測定したい部位の先端をマウスにてクリックし、次に、その部位の末端をマウスにてクリックすることにより、その目的部位の補正された距離がモニター上に表示される。
【図面の簡単な説明】
【０００９】
【図１】本発明に係る仮想歯列上の拡大率変換点にスチールボールを配列した咬合用バイトピースである。
【図２】図２(a)は、咬合用バイトピースを装置に装着した正面図である。図２(b)は、咬合用バイトピースを装置に装着した側面図である。
【図３】咬合用バイトピースの写ったパノラマＸ線画像
【符号の説明】
【００１０】
１  咬合用バイトピース
２  スチールボール
３  パノラマＸ線撮影装置
４  パノラマＸ線画像 
５  パノラマＸ線画像上のスチールボール
【図１】
2005253727.tif 000003
【図２】
2005253727.tif 000004
【図３】
2005253727.tif 000005